(57)【要約】【課題】高い密度の光が蛍光体素子に入射しても、発光効率の低下が少なくなるようにする。【解決手段】蛍光体素子１００は、光を受けて蛍光を発する蛍光体１００ａを有する。蛍光体１００ａには、導電膜１００ｂと１００ｃが形成される。【選択図】図１
2017058577.tif 000002
【特許請求の範囲】
【請求項１】
光を受けて蛍光を発する蛍光体を有し、
前記蛍光体には導電膜が形成されていることを特徴とする蛍光体素子。
【請求項２】
前記蛍光体は、単結晶からなることを特徴とする請求項１に記載の蛍光体素子。
【請求項３】
光を受けて蛍光を発する蛍光体を有し、
前記蛍光体は微小な複数の粒子からなり、前記粒子の周囲が導電体で覆われていることを特徴とする蛍光体素子。
【請求項４】
前記導電体上に導電膜が形成されていることを特徴とする請求項３に記載の蛍光体素子。
【請求項５】
請求項１乃至４の何れかに記載の蛍光体素子と、前記蛍光体素子を励起する光源とを有する照明装置。
【請求項６】
前記導電膜もしくは前記導電体は、接地されていることを特徴とする請求項５に記載の照明装置。
【請求項７】
前記導電膜もしくは前記導電体は、電圧が印加されることを特徴とする請求項５に記載の照明装置。
【請求項８】
前記光源が波長４１０ｎｍよりも短い波長の光を主として発する請求項５乃至７に記載の照明装置。
【請求項９】
請求項５乃至７の何れかに記載の照明装置と、
前記照明装置から出射された光を受ける光学系と、
前記光学系を経て前記照明装置から出射された光を変調する空間光変調素子と、
前記空間光変調素子で変調された光を受けて投射する投射レンズと、
を備える、投射装置。
【発明の詳細な説明】
【技術分野】
【０００１】
本開示は、光を受けて発光する蛍光体素子及び蛍光体素子を用いた照明装置及び蛍光体素子を用いた投射装置に関する。
【背景技術】
【０００２】
発光ダイオード（ＬＥＤ）やレーザ（ＬＤ）等の固体光源と蛍光体素子を用いた照明装置は、近年、室内室外を問わず様々な照明、液晶テレビのバックライト、プロジェクタ、信号機、等、様々な商品に広く用いられている。
【０００３】
固体光源と蛍光体素子を用いた照明装置は、従来用いられてきた白熱電球、蛍光灯、高圧水銀ランプ等に対して、小型で、効率が良く、鮮やかな色の発光が可能で、半導体素子であるために球切れの心配がなく、初期駆動特性及び耐震性に優れ、さらにＯＮ／ＯＦＦ点灯の繰り返しに強い等、様々な特長を有している。
【０００４】
蛍光体素子を構成する蛍光体は、一般に、ＹＡＧと呼ばれるＹ３Ａｌ５Ｏ１２、ＳｉＡｌＯＮと呼ばれるＳｉ６−ｚＡｌｚＯｚＮ６−Ｚ、ＣＡＳＮと呼ばれるＣａＡｌＳｉＮ３等が実用化されており、色々な照明装置で広く利用されている。
【０００５】
また近年、特許文献１、特許文献２に示されるように、ＬＮＴと呼ばれるニオブ酸リチウムを母体としてチタンを固溶した蛍光体Ｌｉ１＋ｘ−ｙＮｂ１−ｘ−３ｙＴｉｘ＋４ｙＯ３やＬＴＴと呼ばれるタンタル酸リチウムを母体としてチタンを固溶した蛍光体Ｌｉ１＋ｘ−ｙＴａ１−ｘ−３ｙＴｉｘ＋４ｙＯ３も発明されている。
【０００６】
それぞれの蛍光体には、Ｃｅ、Ｎｄ、Ｓｍ、Ｇｄ、Ｔｂ、Ｄｙ、Ｈｏ、Ｅｒ、Ｔｍ、Ｙｂ、Ｌｕ等の希土類が添加され、所望の波長の光を得る。
【先行技術文献】
【特許文献】
【０００７】
【特許文献１】特開２００９−１８５２０２号公報
【特許文献２】特開２０１３−１９４０９８号公報
【発明の概要】
【発明が解決しようとする課題】
【０００８】
蛍光体素子に入射する励起光の光密度が高くなると、緩和時間の遅い準位に溜まる電子の量が増加することで分極が促進する。その結果、励起光を吸収することで励起準位に励起された電子が非発光緩和過程を経て基底準位に戻る確率が増加し、発光効率が低下するという課題があった。
【０００９】
また、蛍光体素子に励起光である光源が発した光を集光して励起光の密度を高めると、蛍光体素子上の光を集光した部分に空気中に浮遊していたシロキサン等の微小物質が集まってきて堆積していく。蛍光体素子上に堆積した微小物質は、励起光が蛍光体素子に入射するのを妨げるようになり、照明装置の発光効率が低下するという課題もあった。
【００１０】
本開示は、簡素な構成でありながら、励起光の密度を高めても発光効率の低下が少ない蛍光体素子、照明装置及び投射装置を提供する。
【課題を解決するための手段】
【００１１】
本開示に係る蛍光体素子は、光を受けて蛍光を発する蛍光体を有し、同蛍光体には導電膜が形成されていることを特徴とする。
【００１２】
本開示に係る別の蛍光体素子は、光を受けて蛍光を発する蛍光体を有し、同蛍光体は微小な複数の粒子からなり、同粒子の周囲が導電体で覆われていることを特徴とする。
【００１３】
本開示に係る照明装置は、上記の蛍光体素子と、同蛍光体素子を励起する光源とを備えることを特徴とする。
【００１４】
本開示に係る投射装置は、上記の照明装置と、同照明装置から出射される光を受ける光学系と、同光学系を経て照明装置から出射された光を変調する空間光変調素子と、同空間光変調素子で変調された光を受けて投射する投射レンズとを備えることを特徴とする。
【発明の効果】
【００１５】
本開示における蛍光体素子は、高い密度の光が入射しても、発光効率の低下が少なく、空気中の浮遊物が堆積しにくくなっており、長期間に渡って安定した光を出射することができる。
【図面の簡単な説明】
【００１６】
【図１】実施の形態１における蛍光体素子の構成の概略を示す図
【図２】実施の形態２における蛍光体素子及びその変形例の構成の概略を示す図
【図３】実施の形態３における蛍光体素子の構成の概略を示す図
【図４】実施の形態４における照明装置の構成の概略を示す図
【図５】実施の形態５における照明装置の構成の概略を示す図
【図６】実施の形態６における照明装置の構成の概略を示す図
【図７】実施の形態７における投射装置の構成の概略を示す図
【発明を実施するための形態】
【００１７】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１８】
なお、添付図面および以下の説明は、当業者が本開示を十分に理解するために、提供されるのであって、これらにより特許請求の範囲に記載の主題を限定することは意図されていない。
【００１９】
（実施の形態１）
図１は、実施の形態１に係る蛍光体素子１００の構成の一例を示した図である。
【００２０】
蛍光体素子１００は、蛍光体１００ａと、導電膜１００ｂ、１００ｃとを有する。蛍光体１００ａに用いる物質には、特に制約は無く、一般的なＹＡＧ、ＳｉＡｌＯＮ、ＣＡＳＮ等、何れの蛍光体でもよい。またＬＮＴやＬＴＴであっても構わない。また、蛍光体は単結晶、焼結したセラミック、微結晶をバインダーで固めたもの等、どのような状態のものでも構わない。ここではＣｅを添加した単結晶のＹＡＧを用いている。
【００２１】
蛍光体１００ａには、導電膜１００ｂと１００ｃを設けており、ここではスズドープ酸化インジウム（ＩＴＯ）を用いている。ＩＴＯは可視光に対して透明であるので、蛍光体を励起する光を図１の点線矢印Ｙの方向から入射させて、その入射面に対向する面から蛍光体が発した光を取り出すことができる。すなわち、導電膜１００ｃを形成した面から励起光を蛍光体１００ａに入射させ、蛍光体１００ａが発した光を導電膜１００ｂを形成した面から取り出すことができる。光が入射する面と光が出射する面に導電膜を設けることにより、発光効率を低下させる電子を効果的に移動させられる、すなわち発光効率の低下が少なく、空気中の浮遊物が堆積しにくい発光素子となる。この効果は、ＬＮＴ、ＬＴＴ等の母体が強誘電体である蛍光体の場合に特に顕著に発揮される。
【００２２】
また、蛍光体を励起する光の波長が短い程、効果が顕著であり、特に波長４１０ｎｍよりも短い波長の光を用いる場合に、著しい効果が発揮される。
【００２３】
また、導電膜１００ｂ、１００ｃを形成した面とは異なる面、例えば図１の点線矢印Ｘの方向から蛍光体を励起する光を入射させて、その入射面に対向する面から蛍光体が発する光を取り出しても構わない。この場合、Ｙの方向から蛍光体を励起する光を入射させる場合よりも先に述べた効果は少なくなるが、ある程度の効果は得られる。
【００２４】
なお、ここでは、導電膜にＩＴＯを用いたが、導電膜は、ＩＴＯに限定されるものでは無く、酸化亜鉛（ＺｎＯ）、亜鉛ドープ酸化インジウム（ＩＺＯ）、カーボンナノチューブ導電薄膜（ＣＮＴ）、グラフェン、等、どのような材料でも適用できる。
【００２５】
また、光を入射する面と出射する面とが導電膜を形成する面とは異なる面の場合、導電面が透明である必要は無く、導電性の材料であればどのような材料でも構わない。すなわち、アルミニウム、クロム等、不透明ではあるが導電性がよく安価な材料も用いることができる。導電膜が、励起光もしくは蛍光体が発した光を反射する材質とすることで、簡素な構成でありながら、蛍光体素子の光を出射させたい面から効率よく光を取り出すことができるようになる。
【００２６】
（実施の形態２）
図２は、実施の形態２に係る蛍光体素子１１０の構成の一例を示した図である。
【００２７】
図２（ａ）は、蛍光体素子１１０の基本的な構成を示している。蛍光体素子１１０は、微結晶の蛍光体１１０ａと、導電体１１０ｂとを有する。実施の形態１に示す蛍光体素子１００における蛍光体は単結晶のＹＡＧを用いたが、ここでは、Ｅｕを添加した微結晶のＬＴＴを用いており、蛍光体１１０ａは複数の微結晶のＬＴＴからなる。微結晶の大きさは、通常使用する条件で発光効率が高いということ及び高い光密度で蛍光体を励起したときの発光効率の低下が少ないという観点で、約１ミクロン〜約１００ミクロンの大きさが好ましい。蛍光体１１０ａに用いる蛍光体はＬＴＴに限定されるものでは無く、実施の形態１に示す蛍光体１００ａと同様に特に制約は無く、一般的なＹＡＧ、ＳｉＡｌＯＮ、ＣＡＳＮ等、何れの蛍光体でもよい。
【００２８】
微結晶からなる蛍光体１１０ａの周囲には、導電体１１０ｂを設けている。導電体１１０ｂは、ＺｎＯ、イオン伝導性ガラス等、特に制約は無く、色々な材料を適用可能である。ここではスズ添加リン酸塩ガラスを用いた。
【００２９】
蛍光体に微結晶を用いた場合、蛍光体の微結晶の周囲に導電体を設けることで、高い光密度で蛍光体を励起したときの発光効率の低下が少なくなるという効果がある。特に、ＬＴＴやＬＮＴ等、蛍光体の母体が強誘電体であるとき、その効果は顕著である。
【００３０】
図２（ｂ）は、別の例による蛍光体素子１１１の基本的な構成を示し、図２（ｃ）は、更に別の例による蛍光体素子１１２の基本的な構成を示している。
【００３１】
図２（ｂ）に示す蛍光体素子１１１と図２（ｃ）に示す蛍光体素子１１２はそれぞれ、図２（ａ）に示す蛍光体素子１１０に、導電膜１１０ｃ〜１１０ｆを設けている。
【００３２】
更に、図２（ｃ）に示す蛍光体素子１１２の導電膜１１０ｅと１１０ｆの一部には、点線矢印Ｙの方向に入射及び出射する光を透過させる窓を設けて、導電膜に如何なる材料も用いることができるようにしている。
【００３３】
なお、導電膜１１０ｃ〜１１０ｆに様々な材料を用いることができるのは、実施の形態１に示す蛍光体素子１００に用いた導電膜１００ｂ、１００ｃと同様である。蛍光体素子１１１及び蛍光体素子１１２は、導電膜１１０ｃ〜１１０ｆを設けることで、外部の回路と低い接触抵抗で接続可能になる。
【００３４】
（実施の形態３）
図３は、実施の形態３に係る蛍光体素子１３０の構成の一例を示した図である。図３（ａ）は、蛍光体素子１３０の上面図、図３（ｂ）は側面図である。図３（ａ）に示すように、蛍光体素子１３０において、蛍光体１３０ａは、放熱を兼ねる円形状のホイール１３０ｄの外周部に設けられている。蛍光体１３０ａは、特に制約は無く、上記実施の形態と同様に様々な蛍光体を用いることができる。ここでは、Ｅｕを添加した微結晶のＬＴＴを用いた。蛍光体１３０ａは複数の微結晶のＬＴＴからなる。
【００３５】
図３（ｂ）に示すように、微結晶からなる蛍光体１３０ａの周囲には、導電体１３０ｂを設けている。導電体１３０ｂは、特に制約は無く、上記実施の形態と同様に色々な材料を適用可能であるが、ここではＺｎＯを用いた。
【００３６】
導電体１３０ｂとホイール１３０ｄとの間には、蛍光体から発した光を反射する反射膜１３０ｃが設けられている。反射膜１３０ｃは、銀の薄膜からなる。反射膜には様々な材料を用いることができるが、銀は光の反射率が高く、且つ電気抵抗が低いので、本蛍光体素子１３０に特に適する。
【００３７】
ホイール１３０ｄは、モータ１３１から伸びるシャフト１３１ｂを介してモータと接続され、モータによって回転運動が与えられる。
【００３８】
励起光の光密度が非常に高いプロジェクタで蛍光体素子１３０を用いると、蛍光体が励起光を吸収することで生じる熱の様々な悪影響を軽減できる。
【００３９】
なお、ここでは、外周部に１種類の蛍光体を設ける構成を示しているが、部分的に蛍光体の種類を変えることにより異なる発光波長とする構成や、部分的に蛍光体を設けないで励起光をそのまま取り出す構成等、必要に応じた仕様を満たすために様々系統に変更しても構わない。
【００４０】
（実施の形態４）
図４は、実施の形態４に係る照明装置２０１の構成の一例を示した図である。
【００４１】
照明装置２０１は、光源７０１と蛍光体素子１００とを備える。光源７０１は、波長約４５０ｎｍの青色光を発するＬＥＤである。蛍光体素子１００は実施の形態１に示したもので、蛍光体１００ａにはＣｅを添加した単結晶のＹＡＧを用いている。光源７０１から出射した光は、蛍光体素子１００の導電膜１００ｃを透過した後に蛍光体１００ａに入射し、蛍光体１００ａで吸収される。ここでは、光源７０１から出射した波長４５０ｎｍ付近の光は蛍光体１００ａで殆ど吸収され、蛍光体１００ａからの発光である黄色光Ｌが導電膜１００ｂを透過した後に蛍光体素子１００から出射するようにしている。
【００４２】
蛍光体素子１００に設けた導電膜１００ｂと１００ｃは電気回路的に短絡した後、接地している。
【００４３】
光が入射する面と光が出射する面に設けた導電膜を電気回路的に短絡することで、高い密度の光が蛍光体素子１００に入射しても、発光効率の低下が少なく、空気中の浮遊物が堆積しにくくなる。また、短絡した回路を設置することで、更にその効果が顕著となる。
【００４４】
ここでは、照明装置２０１から黄色光Ｌを出射させる場合について述べたが、特に何色光を出射させても構わない。
【００４５】
光源７０１から出射される光も蛍光体素子１００から出射させて、例えば白色光を照明装置から出力させたい場合は、蛍光体１００ａの厚さもしくは、蛍光体１００ａに添加するＣｅの濃度を調節すればよい。
【００４６】
また、用いる蛍光体にも何ら制約はないので、必要に応じて適切な蛍光体を用いればよい。
【００４７】
また、照明装置２０１から出射する光が、方向に依存して色調が変化する場合には、光源７０１と蛍光体素子１００の間、もしくは蛍光体素子１００から照明装置２０１の外に光が出力されるまでの間に、光が拡散するように拡散素子を設ければよい。拡散素子を設けることにより、光源７０１から出射された青色光と蛍光体素子１００が発光した黄色光が混合され、方向に依存した色調の変化を軽減することができる。
【００４８】
また、蛍光体１００ａを単結晶ではなく、微結晶とバインダーの構成としてもよい。この構成により、蛍光体自身に散乱の機能を持たせることができるので、方向に依存した色調の変化を軽減することができる。
【００４９】
（実施の形態５）
図５は、実施の形態５に係る照明装置２０２の構成の一例を示した図である。
【００５０】
照明装置２０２は、光源７０２と、蛍光体素子１１１と、レンズ７０５と、電源７０７とを備える。光源７０２は、波長約４００ｎｍの青紫光を発する半導体レーザである。蛍光体素子１１１は実施の形態２に示したもので、蛍光体１１０ａは、Ｅｕを添加した複数の微結晶のＬＴＴからなる。
【００５１】
光源７０２から出射した光Ｌａは、レンズ７０５を経て蛍光体素子１１１に集光される。光源７０２から出射した光Ｌａは、蛍光体素子１１１の導電膜１１０ｄを透過した後に蛍光体１１０ａに入射し、蛍光体１１０ａで吸収される。光源７０２から出射した光Ｌａを吸収した蛍光体１１０ａは赤色光Ｌｂを発し、導電膜１１０ｃを透過した後に蛍光体素子１１１から出射する。
【００５２】
蛍光体素子１１１に設けた導電膜１１０ｃと１１０ｄには電源７０７から出力される電圧が印加される。
【００５３】
導電膜１１０ｃと１１０ｄに電圧を印加することで、高い密度の光が蛍光体素子１００に入射しても、発光効率の低下が少なく、空気中の浮遊物が堆積しにくくなる。
【００５４】
印加する電圧は直流、交流のどちらでも良い。パルス状の電圧波形とすることで、更にその効果が顕著となる。
【００５５】
また、ＬＴＴやＬＮＴ等の強誘電体が蛍光体の母体の場合、パルス状の電圧波形を印加することで、発光特性に悪影響を与えるディープトラップに捕獲された電子が開放され易くなるので、効果がより顕著となる。
【００５６】
電圧、パルス幅、パルスの周波数の最適値は、使用する蛍光体と導電膜に依存するので、一義的には言えないが、概ね、電圧は数Ｖ〜数百Ｖ、パルス幅とパルス周期はそれぞれ数マイクロ秒〜数十秒が好ましい。
【００５７】
照明装置２０２から出射される光が所望の広がり角を持つように、図５に示すようにレンズ７０６を設けてもよく、レンズ７０６は、照明装置２０２の内部と外部のどちらに設けても良い。
【００５８】
本照明装置においても、用いる蛍光体に何ら制約はないので、必要に応じて適切な蛍光体を用いればよい。
【００５９】
また、蛍光体素子１１１に複数種の蛍光体の微結晶を混合させても構わない。
【００６０】
（実施の形態６）
図６は、実施の形態６に係る照明装置２０３の構成の一例を示した図である。
【００６１】
照明装置２０３は、光源７０８、蛍光体素子１００、レンズ７０５、光ファイバー７０９とを備える。光源７０８は、波長約４５０ｎｍの青色光を発する半導体レーザである。
【００６２】
蛍光体素子１００は実施の形態１に示したものと同じで、蛍光体１００ａにはＣｅを添加した単結晶のＹＡＧを用いており、蛍光体１００ａは波長４５０ｎｍ付近の光を吸収して黄色光を発する。
【００６３】
光源７０８から出射した光Ｌｃは、レンズ７０５を経て蛍光体素子１００に集光される。光源７０８から出射した光Ｌｃは、蛍光体素子１００の導電膜１００ｃを透過した後に蛍光体１００ａに入射し、光源７０８から出射した光Ｌｃの一部が蛍光体１００ａで吸収される。光源７０８から出射した光Ｌｃ、及び蛍光体１００ａが発した黄色光は、導電膜１００ｂを透過した後に蛍光体素子１００から出射する。蛍光体素子１００から出射して蛍光体１００ａで吸収されなかった青色光Ｌｃ蛍光体１００ａが発する黄色光は、光ファイバー７０９に結合されて導光される。
【００６４】
本実施の形態に示す照明装置においても、光が入射する面と光が出射する面に設けた導電膜を電気回路的に短絡することで、高い密度の光が蛍光体素子１００に入射しても、発光効率の低下が少なく、空気中の浮遊物が堆積しにくくなっており、長期間に渡って安定した光を出射する照明装置を提供することができる。
【００６５】
また、蛍光体素子１００から出射する光を光ファイバー７０９に結合して導光する構成は、発熱が問題となるために光源を分離して置くことが望ましい内視鏡の照明装置に適する。また、光を出射する部分が光ファイバーとなるので、小型軽量で受風面積の小さい照明装置を構成することができる。その特徴を活かして、街角や道路の照明装置、スタジアムの照明装置等、ポールを介してポールの上部から照明する照明装置の施行費用が安価となり、また信頼性を高めることができる。
【００６６】
（実施の形態７）
図７は、投射装置の一例として、画像表示装置の構成の概略を示している。投射装置５００は、映像を投射する光学エンジン４００と、映像データを光学エンジン４００で表示できるように加工する制御システム部７１９とを有している。
【００６７】
光源装置７２１、７２２、７２３は、実施の形態１〜３に示した蛍光体素子、もしくは実施の形態４〜６に示した照明装置もしくは、発明の主旨に反しない範囲で蛍光体、蛍光体を励起する光源、光学構成等を変更した照明装置を用いることができる。
【００６８】
光源装置７２１は蛍光体から青色光であるビーム７１を発し、光源装置７２２は蛍光体から緑色光であるビーム７２を発し、光源装置７２３は蛍光体から赤色光であるビーム７３を発する。光源装置７２１〜７２３から発したビーム７１〜７３は、それぞれコリメートレンズ７２４〜７２６で略平行光に変換された後、ミラー７２７、ダイクロイックミラー７２８、７２９を経て光路が１つとなるように合波している。合波された３色の光であるビーム７１〜７３をＲＧＢ光とする。ＲＧＢ光は、集光レンズ７３０、フライアイレンズ７３１、７３２、コンデンスレンズ７３３を経て、ビーム内の強度が均一化された後、偏光ビームスプリッタ７３４で反射されて空間光変調素子７３５に向かう。
【００６９】
空間光変調素子７３５は、ＬＣＯＳと呼ばれる反射型液晶素子である。空間光変調素子７３５は、入射したＲＧＢ光を反射すると共に変調して、所望の画像を生成する。空間光変調素子７３５で反射したＲＧＢ光は偏光ビームスプリッタ７３４を透過した後、投射レンズ７１７を介してスクリーン７１８に投射される。
【００７０】
制御システム部７１９は、光源装置７２１の発光のタイミングと空間光変調素子７３５の状態の制御を行い、１つの空間光変調素子７３５で光の３原色の画像情報を独立に制御している。この制御はフィールドシーケンシャルという一般的な技術であるので、詳しい説明は略する。
【００７１】
光源装置７２１、７２２、７２３に、実施の形態１〜３に示した蛍光体素子、もしくは実施の形態４〜６に示した照明装置もしくは、発明の主旨に反しない範囲で蛍光体、蛍光体を励起する光源、光学構成等を変更した照明装置を用いることで、長期間に渡って安定した光を出射し、かつ明るい投射装置を提供することができる。
【００７２】
なお、ここでは、空間光変調素子として反射型液晶素子を用いる場合について述べたが、本実施の形態の蛍光体素子及び照明装置は如何なる構成のプロジェクタにも適用することが可能である。空間変調素子を透過型液晶素子やデジタルマイクロミラー（ＤＭＤ）を用いる等、必要に応じて様々な構成に変更することができる。
【００７３】
また、光学構成には何ら制約が無く、様々な態様に変更できることは言うまでもない。例えば、本実施の形態では３つの光源から出力をダイクロイックミラーを用いて合波する構成を示したが、クロスプリズムや波長選択性の回折格子を用いる等、必要に応じた構成として構わない。更にレンズの焦点距等、他の光学条件も、同様に必要に応じた構成として構わない。
【００７４】
（その他の実施の形態）
上述の実施の形態は、本開示における技術を例示するためのものであるから、特許請求の範囲またはその均等の範囲において種々の変更、置き換え、付加、省略などを行うことができる。
【００７５】
蛍光体素子は、透明な基板上や光源の上等、様々な場所に形成してもよい。
【００７６】
また、蛍光体素子を保持する部材に制約は無く、樹脂、金属等、一般的な材料を用いることができる。保持部材に金属等の導電性の材料を用いた場合、保持部材を接地することで、蛍光体素子の電位が安定するので、より安定した発光を示す照明装置を提供することができる。
【００７７】
また、蛍光体を励起する光もしくは蛍光体が発した光を反射させる反射膜を蛍光体素子に形成しても構わない。光を取り出す面以外の面にこのような反射膜を設けることにより、光を取り出す面から取り出すことができる光量を高めることができ、より明るい照明装置を提供することができる。
【００７８】
また、実施の形態に示した光源と蛍光体素子の組み合わせは一例であって、とくに制約は無いので、必要に応じて様々な組み合わせにして用いることができる。
【００７９】
また、光源が出射する光の中心波長に特に制約はなく、如何なる波長の光源を用いてもよい。可視光にも限定されず、紫外光を用いる等、蛍光体が吸収する光の波長を適切に選べばよい。
【００８０】
また、導電膜は、種々の形態に変更可能である。例えば、導電膜の厚みには全く制約は無く、如何なる厚みでも構わない。また、放熱等、別の機能を兼ねるためにブロックのような構造にする等、導電性を有しているのであれば一般的には膜とは呼ばないような構造であっても、本発明における導電膜の一種として許容される。また、銅の細線をメッシュ上に形成して、高い光の透過率と高い導電性とを両立した構造等、完全な膜ではない形態も本発明における導電膜の一種として許容される。
【産業上の利用可能性】
【００８１】
本開示の蛍光体素子及びそれを用いた照明装置と投射装置は、蛍光体を光で励起して発光させる照明装置及び投射装置全般に適用することが可能である。
【符号の説明】
【００８２】
７１〜７３  ビーム
１００  蛍光体素子
１００ａ  蛍光体
１００ｂ、１００ｃ  導電膜
１１０〜１１２  蛍光体素子
１１０ａ  蛍光体
１１０ｂ  導電体
１１０ｃ、１１０ｄ  透明導電膜
１１０ｅ、１１０ｆ  導電膜
１３０  蛍光体素子
１３０ａ  蛍光体
１３０ｂ  導電体
１３０ｃ  反射膜
１３０ｄ  ホイール（放熱体）
１３１  モータ
１３１ｂ  シャフト
２０１  照明装置
２０２  照明装置
２０３  照明装置
７０１  光源
７０２  光源
７０５、７０６  レンズ
７０７  電源
７０８  光源
７０９  光ファイバー
７１７  投射レンズ
７１８  スクリーン
７１９  制御システム部
７２１〜７２３  光源装置
７２４〜７２６  コリメートレンズ
７２７  ミラー
７２８、７２９  ダイクロイックミラー
７３０  集光レンズ
７３１、７３２  フライアイレンズ
７３３  コンデンスレンズ
７３４  偏光ビームスプリッタ
７３５  空間光変調素子
４００  光学エンジン
５００  投射装置
【図１】
2017058577.tif 000003
【図２】
2017058577.tif 000004
【図３】
2017058577.tif 000005
【図４】
2017058577.tif 000006
【図５】
2017058577.tif 000007
【図６】
2017058577.tif 000008
【図７】
2017058577.tif 000009